(57)【要約】【課題】遊技機外から糸材を操作して、遊技球の動向を制御するような不正行為において、前記糸材の操作の自由度を低減し、かつ、視覚を通じて当該不正行為の痕跡を確実に残す。【解決手段】発射管３８の球出射端上部に第１の挟み込み部４０を設け、かつ整流装置７２に第２の挟み込み部８０を設け、その両方又は一方で糸材６６を挟み込むことで、遊技球ＰＢの動向を操ることを不可能として上記不正行為を防止し、かつ糸材６６を保持して不正行為の痕跡を残すことができるようにした。【選択図】図１１
2014188072.tif 000002
【特許請求の範囲】
【請求項１】
発射装置の動作で発射された遊技球を、直線状移動軌跡となる球発射流路から、円弧状移動軌跡となる球案内流路を経て、自重で移動する遊技領域へ送り出す案内手段と、
糸材の一端部が固着され、かつ前記発射装置から発射された遊技球に対し、当該遊技球に追従して前記球発射流路、前記球案内流路を通過する糸材を保持する保持手段と、
を有する球案内装置。
【請求項２】
前記案内手段の球発射流路には、前記発射装置の発射位置から水平に対して仰角９０°以下の範囲である目的方向へ前記遊技球を直線的に出射するための発射管が設けられ、
前記保持手段が、前記発射管の球出射端上部に設けられ、
前記球出射端上部には、前記遊技球が前記遊技領域に到達したときに、当該遊技球に追従する糸材が接触することを特徴とする請求項１記載の球案内装置。
【請求項３】
前記発射装置よりも上流側には、前記遊技球を不規則に貯留する受け皿と、当該受け皿から流出する遊技球を予め定めた周期で遊技球を前記発射装置の発射位置へ送り込む整流装置と、が備えられ、
前記整流装置の内部に、前記保持手段と共に前記糸材を保持する保持機構部が設けられ、当該糸材を受け皿側から引き抜こうとする力を受け、前記保持手段での糸材の保持状態を維持することを特徴とする請求項１又は請求項２記載の球案内装置。
【請求項４】
遊技球が自重で移動する遊技領域が設けられた遊技盤と、
前記遊技領域に設けられ、入賞することで少なくとも賞球又は抽選の権利を得ることができる特定領域と、
発射装置の動作で発射された遊技球を、直線状移動軌跡となる球発射流路から、円弧状移動軌跡となる球案内流路を経て、自重で移動する遊技領域へ送り出す案内手段と、
糸材の一端部が固着され、かつ前記発射装置から発射された遊技球に対し、当該遊技球に追従して前記球発射流路、前記球案内流路を通過する糸材を保持する保持手段と、
を有する遊技機。
【請求項５】
前記遊技盤に対面して配置され、少なくとも前記球案内流路及び遊技領域に対面するガラス部材が嵌め込まれた枠体をさらに有し、
前記球案内流路が、前記遊技盤の表面から前記枠体に向けて壁状に設けられ、少なくとも内周が凹状円弧面とされ前記球発射流路から到達する遊技球を受ける外レールと、前記外レールに対峙するように設けられ少なくとも内周が凸状円弧面とされ前記外レールとの間で前記遊技球の流路幅を制限する内レールとを備え、
前記糸材の一端部が固着された遊技球が前記遊技領域に到達した時点で、前記糸材を前記内レールと枠体との隙間から遊技領域へ案内するための案内突起を設けたことを特徴とする請求項４記載の遊技機。
【請求項６】
前記案内手段の球発射流路には、前記発射装置の発射位置から水平に対して仰角９０°以下の範囲である目的方向へ前記遊技球を直線的に出射するための発射管が設けられ、
前記保持手段が、前記発射管の球出射端上部に設けられ、
前記球出射端上部には、前記遊技球が前記遊技領域に到達したときに、当該遊技球に追従する糸材が接触することを特徴とする請求項４又は請求項５記載の遊技機。
【請求項７】
前記発射装置よりも上流側には、前記遊技球を不規則に貯留する受け皿と、当該受け皿から流出する遊技球を予め定めた周期で遊技球を前記発射装置の発射位置へ送り込む整流装置と、が備えられ、
前記整流装置の内部に、前記保持手段と共に前記糸材を保持する保持機構部が設けられ、当該糸材を受け皿側から引き抜こうとする力を受け、前記保持手段での糸材の保持状態を維持することを特徴とする請求項４〜請求項６の何れか１項記載の遊技機。
【発明の詳細な説明】
【技術分野】
【０００１】
本発明は、受け皿に貯留された後、順次発射装置へ送り込まれて発射される遊技球を、遊技盤面へ送り出すための球案内装置及び球案内装置を備えた遊技機に関するものである。
【背景技術】
【０００２】
遊技機、例えば、パチンコ機の遊技盤には、賞球や抽選等の権利を得ることができる特定領域、例えば入賞口（一般入賞口、始動入賞口）が設けられ、球検出センサが設けられている。
【０００３】
球検出センサは、パチンコ球が通過することで当該パチンコ球を検出し、一般入賞口の場合には検出後に遊技機に取り込んで検出球に対する賞品として所定数の遊技球を払い出し（賞球し）、始動入賞口の場合にはパチンコ球の検出タイミングで権利抽選すると共にパチンコ機に取り込んで賞球する。
【０００４】
パチンコ機において、パチンコ球に釣り糸等の糸材の一端部を接着剤等で固定した状態で発射する不正行為がある。この不正行為では、前記糸材が付いたパチンコ球を遊技盤面へ送り込み、糸材の他端部をパチンコ機の受け皿に残し、この糸材の他端部を操作することで、パチンコ球の動きを操るものである。糸材が固定されたパチンコ球を球検出センサの検出位置を境界として、その上流側と下流側とを行き来させると、賞球センサを誤検出状態に変移、糸材の操作により球詰まりを不正に誘発、あるいは糸材の操作と高周波の組合せに基づく不正な賞球を誘発させる要因になる場合がある。
【０００５】
そこで、特許文献１には、糸材が付いたパチンコ球を遊技盤に送り込んだ後、糸材の張力によって、後続のパチンコ球が発射装置に侵入しないように整流装置の通路形状を形成することが提案されている。すなわち、糸材自体がパチンコ球の移動軌跡上でパチンコ球の流れを阻む構成である。
【０００６】
なお、参考として、特許文献２では、球皿において、球導入口の下方に、送出カムの上で受止められたパチンコ球を検出する送出待機球検出センサが設けられ、球排出口の下方には、送出カムから送り出されたパチンコ球を検出する送出球検出センサが設けられ、２つのセンサ間を通過するのに要する時間がほぼ一定であるから、この時間が極端に短かったり、或いは極端に長かったりした場合は、不正行為や球送出装置の異常を予測することが記載されている。
【先行技術文献】
【特許文献】
【０００７】
【特許文献１】特開２０１２−１２５４３２号公報
【特許文献２】特開２００２−２７２９２５号公報
【発明の概要】
【発明が解決しようとする課題】
【０００８】
ところで、パチンコ球が固定された側の糸材の一端部は、前記受け皿から発射装置を経て、内レールと外レールとで構成される発射球通路へ至り、ファウル球逆流防止弁を超えて遊技盤面へ到達されている。従って、この径路間に糸材が存在するため、例えば、遊技店の係員等が目視で糸材を認識することができる状況である。
【０００９】
しかしながら、前記係員が現場（糸材が使われているパチンコ機）に到着する前に不正者が不正に操作している糸材の他端部を指から離すと、入賞口（セーフ口）、或いはアウト口から回収されていくパチンコ球に糸材が追従して回収され、所謂証拠が残らない状況となる。
【００１０】
本発明は上記事実を考慮し、糸材の一端部が固定されている遊技球を遊技機内に送り込み、遊技機外から糸材の他端部を操作して、遊技球の動向を制御するような不正行為において、前記糸材の操作の自由度を低減し、かつ、視覚を通じて当該不正行為の痕跡を確実に残すことができる球案内装置及び遊技機を得ることが目的である。
【課題を解決するための手段】
【００１１】
第１の発明は、発射装置の動作で発射された遊技球を、直線状移動軌跡となる球発射流路から、円弧状移動軌跡となる球案内流路を経て、自重で移動する遊技領域へ送り出す案内手段と、糸材の一端部が固着され、かつ前記発射装置から発射された遊技球に対し、当該遊技球に追従して前記球発射流路、前記球案内流路を通過する糸材を保持する保持手段と、を有する球案内装置である。
【００１２】
本発明によれば、遊技球は、発射装置の動作で発射し、球発射流路では直線状移動軌跡で移動し、球案内路では例えば、ガイド板のガイド面に沿うことにより円弧状移動軌跡で移動し、遊技領域へ至る。遊技球は、遊技領域では自重で遊技領域を移動する。
【００１３】
ここで、糸材の一端部が固着された遊技球を発射装置から発射すると、糸材は遊技球に追従して球発射流路、球案内流路を通過する。このとき、保持手段では、当該糸材を保持する。
【００１４】
この保持手段による保持により、糸材の動きが阻止されるため、保持位置手前の糸材を操作しても、遊技球に伝わるようなことはなく、所謂糸材を用いた不正行為を防止することができる。
【００１５】
また、糸材は保持手段で保持されるため、例えば、不正行為者が保持手段で保持された糸材を不正行為の途中で引き抜こうとしても引き抜けない、或いは、保持位置で切断されたとしても保持手段による保持力で一部が残留するため、不正行為、或いはその未遂行為の痕跡を残すことができる。
【００１６】
本発明において、前記案内手段の球発射流路には、前記発射装置の発射位置から水平に対して仰角９０°以下の範囲である目的方向へ前記遊技球を直線的に出射するための発射管が設けられ、前記保持手段が、前記発射管の球出射端上部に設けられ、前記球出射端上部には、前記遊技球が前記遊技領域に到達したときに、当該遊技球に追従する糸材が接触することを特徴とする。
【００１７】
保持手段、すなわち、糸材を保持する機能を有する部材は、遊技球が前記遊技領域に到達したときに、当該遊技球に追従する糸材が接触する球出射端上部に設けられているので、発射管での遊技球の通常の発射軌跡と干渉することはない。このため、遊技球の発射を妨げることがなく、かつ確実に糸材を保持することができる。
【００１８】
また、本発明において、前記発射装置よりも上流側には、前記遊技球を不規則に貯留する受け皿と、当該受け皿から流出する遊技球を予め定めた周期で遊技球を前記発射装置の発射位置へ送り込む整流装置と、が備えられ、前記整流装置の内部に、前記保持手段と共に前記糸材を保持する保持機構部が設けられ、当該糸材を受け皿側から引き抜こうとする力を受け、前記保持手段での糸材の保持状態を維持することを特徴とする。
【００１９】
保持手段で保持した位置で糸材が切断された場合、当該保持手段の上下流側に糸材が離間して（バラけて）、一方（上流側糸材）は受け皿側で回収され、他方（下流側糸材）は遊技球と共に回収される可能性がある。
【００２０】
そこで、整流装置に保持機構を設けることで、受け皿から引き抜こうとする糸材の力は、保持機構部に伝わり、この保持機構部で切断されることで、保持手段で保持状態を維持し、糸材の痕跡を残すことができる。
【００２１】
第２の発明は、遊技球が自重で移動する遊技領域が設けられた遊技盤と、前記遊技領域に設けられ、入賞することで少なくとも賞球又は抽選の権利を得ることができる特定領域と、発射装置の動作で発射された遊技球を、直線状移動軌跡となる球発射流路から、円弧状移動軌跡となる球案内流路を経て、自重で移動する遊技領域へ送り出す案内手段と、糸材の一端部が固着され、かつ前記発射装置から発射された遊技球に対し、当該遊技球に追従して前記球発射流路、前記球案内流路を通過する糸材を保持する保持手段と、
を有する遊技機である。
【００２２】
本発明によれば、発射される遊技球が特定の領域に至ることで遊技が遊技者有利に進行される遊技仕様において、前記糸材の一端部が固着された遊技球を遊技盤面へ送り込み、糸材を操って前記特定の領域へ案内する不正行為に対して、前記球案内装置の保持手段により糸材を保持することで、当該不正行為を阻止することができる。
【００２３】
本発明において、前記遊技盤に対面して配置され、少なくとも前記球案内流路及び遊技領域に対面するガラス部材が嵌め込まれた枠体をさらに有し、前記球案内流路が、前記遊技盤の表面から前記枠体に向けて壁状に設けられ、少なくとも内周が凹状円弧面とされ前記球発射流路から到達する遊技球を受ける外レールと、前記外レールに対峙するように設けられ少なくとも内周が凸状円弧面とされ前記外レールとの間で前記遊技球の流路幅を制限する内レールとを備え、前記糸材の一端部が固着された遊技球が前記遊技領域に到達した時点で、前記糸材を前記内レールと枠体との隙間から遊技領域へ案内するための案内突起を設けたことを特徴とする。
【００２４】
遊技球が遊技領域に至ると、この遊技球に追従して糸材は、内レールの凸状円弧面に接触する。そこで、内レールに案内突起を設けることで、糸材を内レールと枠体との隙間から逸脱させて遊技領域へ案内する。これにより、糸材を内レールに滞留させず、遊技領域へ案内し、当該糸材を保持部材へ近づけることができる。
【００２５】
なお、遊技球は通常は外レールに接触しながら凹状円弧面に沿って移動するため、内レールの凸状円弧面に設けた案内突起と遊技球とが干渉することはない。
【００２６】
また、本発明において、前記案内手段の球発射流路には、前記発射装置の発射位置から水平に対して仰角９０°以下の範囲である目的方向へ前記遊技球を直線的に出射するための発射管が設けられ、前記保持手段が、前記発射管の球出射端上部に設けられ、前記球出射端上部には、前記遊技球が前記遊技領域に到達したときに、当該遊技球に追従する糸材が接触することを特徴とする。
【００２７】
保持手段、すなわち、糸材を保持する機能を有する部材は、遊技球が前記遊技領域に到達したときに、当該遊技球に追従する糸材が接触する球出射端上部に設けられているので、発射管での遊技球の通常の発射軌跡と干渉することはない。このため、遊技球の発射を妨げることがなく、かつ確実に糸材を保持することができる。
【００２８】
さらに、本発明において、前記発射装置よりも上流側には、前記遊技球を不規則に貯留する受け皿と、当該受け皿から流出する遊技球を予め定めた周期で遊技球を前記発射装置の発射位置へ送り込む整流装置と、が備えられ、前記整流装置の内部に、前記保持手段と共に前記糸材を保持する保持機構部が設けられ、当該糸材を受け皿側から引き抜こうとする力を受け、前記保持手段での糸材の保持状態を維持することを特徴とする。
【００２９】
保持手段で保持した位置で糸材が切断された場合、当該保持手段の上下流側に糸材が離間して（バラけて）、一方（上流側糸材）は受け皿側で回収され、他方（下流側糸材）は遊技球と共に回収される可能性がある。
【００３０】
そこで、整流装置に保持機構を設けることで、受け皿から引き抜こうとする糸材の力は、保持機構部に伝わり、この保持機構部で切断されることで、保持手段で保持状態を維持し、糸材の痕跡を残すことができる。
【発明の効果】
【００３１】
以上説明した如く本発明によれば、糸材の一端部が固定されている遊技球を遊技機内に送り込み、遊技機外から糸材を操作して、遊技球の動向を制御するような不正行為において、前記糸材の操作の自由度を低減し、かつ、視覚を通じて当該不正行為の痕跡を確実に残すことができるという優れた効果を有する。
【図面の簡単な説明】
【００３２】
【図１】本実施の形態に係るパチンコ機が配列される遊技店の平面図、（Ｂ）は図１の矢印ＩＢ方向から見たガラス枠開放中のパチンコ機の正面図である。
【図２】図１（Ｂ）の矢印II線で囲んだ領域である球発射流路の拡大図である。
【図３】図２に示す球発射流路の斜視図である。
【図４】本実施の形態に係る発射管先端の斜視図である。
【図５】本実施の形態に係る第１の糸材挟み込み部の分解斜視図である。
【図６】本実施の形態に係る球流路の一部を示す斜視図である。
【図７】本実施の形態に係る遊技球発射基部に整流装置を取り付けたときの相対位置関係を示す斜視図である。
【図８】本実施の形態に係る整流装置単体の斜視図である。
【図９】本実施の形態に係り、糸材が付いた遊技球の発射後の動向を示すパチンコ機の正面図（その１）である。
【図１０】本実施の形態に係り、糸材が付いた遊技球の発射後の動向を示すパチンコ機の正面図（その２）である。
【図１１】本実施の形態に係り、糸材が付いた遊技球の発射後の動向を示すパチンコ機の正面図（その３）である。
【図１２】本実施の形態に係り、糸材が付いた遊技球の発射後の動向を示すパチンコ機の正面図（その４）である。
【発明を実施するための形態】
【００３３】
図１（Ａ）に示される如く、遊技店（「ホール」、「パーラー」等という場合がある）において、パチンコ機１０は、横方向に配列され、横方向に配列された群が必要に応じて背中合わせに配置され、所謂島１２を構成している。島１２の数は遊技店の広さに応じて定められ、島１２の間に遊技者の着座席が設けられると共に、通路が形成されている。
【００３４】
図１（Ａ）に示される如く、パチンコ機１０は、本体１４と本体１４の前面（遊技者着座側）に開閉可能に設けられたガラス枠１６とを備え、これらはヒンジ１８によって連結されている。
【００３５】
本体１４には、遊技盤２０が装着されるようになっている。遊技盤２０は、ガラス枠１６を開放した状態（図１（Ａ）の矢印ＩＢ線で示すパチンコ機１０の状態）では、直接触れることができる。一方、ガラス枠１６を閉じることで、遊技盤２０には直接触れることはできず、遊技者はガラス枠１６に取り付けられたガラス越しに遊技盤２０を見ながら発射ハンドル２２を操作して、遊技を進行させる。なお、ガラス枠１６には、遊技球ＰＢを貯留する受け皿２４が設けられている。
【００３６】
図１（Ｂ）は、前記図１（Ａ）の矢印ＩＢ線で示すパチンコ機１０の本体１４を正面図である。
【００３７】
パチンコ機１０の本体１４は、その上部の約３／４が前記遊技盤２０を装着する空間とされている。一方、パチンコ機１０の本体１４における、下部の約１／４には、遊技球ＰＢを遊技盤２０に向けて発射する発射装置２６が設けられると共に、発射した遊技球ＰＢを上部へ送り出すための流路を含む球発射流路２８が形成されている。
【００３８】
このパチンコ機１０の上部及び下部は、通常は前述したガラス枠１６によって、遊技盤２０の遊技領域以外は遊技者から見えないようになっている。
【００３９】
遊技盤２０は、基板となるベニヤ板に樹脂製シート状のセルが貼着されてそのセルの表面が盤面となっており、外周端部付近に、円弧状の外レール３０及び内レール３２が取り付けられている。
【００４０】
前記外レール３０及び内レール３２との間は、一定の間隔を持って球案内流路３４が形成されている。
【００４１】
球案内流路３４は、前記発射装置２６から発射された遊技球ＰＢを、前記球発射流路２８から遊技盤２０へ受け渡す役目を有している。なお、この球案内流路３４の終端には、球逆流防止弁３６が取り付けられている。球逆流防止弁３６は、その基部が内レール３２の先端部に取り付けられ、外レール３０方向に延長されている。
【００４２】
前記外レール３０（並びに一部が内レール３２）によって囲まれた円形状の領域は、遊技を行う遊技領域とされている。この外レール３０及び内レール３２の突出先端（図１（Ｂ）の手前側でガラス枠１６と対向する端面は、ガラス枠との間で、遊技球ＰＢの通過はできない程度の僅かな隙間が設けられている。この隙間は、後述する糸材６６は通過可能となっている。
【００４３】
遊技盤２０の遊技領域には、遊技釘２０Ａ及び風車（図示省略）が点在して打ち込まれると共に、複数の役物装置（図示省略）が取り付けられている。役物装置には、遊技球２０が入賞することで遊技状態が変化する入賞口が含まれる。
【００４４】
例えば、入賞口には、始動入賞口、一般入賞口等がある。始動入賞口に遊技球が入賞すると遊技仕様上の内部抽選の契機及び賞球がなされる。また、一般入賞口に遊技球ＰＢが入賞すると賞球がなされる。
【００４５】
（球案内構造「遊技球発射基部、整流装置」）
「遊技球発射基部の構成」
図２及び図３に示される如く、球発射流路２８には発射管３８が形成されている。なお、発射管３８は、前述したガラス枠１６が本体１４に閉止されることで管状となるものであり、図２及び図３に示される状態では、軸線方向（球発射方向）に沿って切断された形状となる。
【００４６】
発射管２８は、図２の左肩上がりに傾斜され、右端部が最下部となっており、当該右端部（待機位置）に発射前の遊技球ＰＢが待機されるようになっている。
【００４７】
この発射管２８の待機位置に待機された遊技球ＰＢが発射装置２６の杵（図示省略）で弾かれて、自重に逆らって、球発射流路２８を駆け上がり、外レール３０と内レール３２との間の球案内流路３４へ直線的に送り出されるようになっている。
【００４８】
ここで、発射管３８の先端（球出射端）の上部には、第１の糸材挟み込み部４０が設けられている。
【００４９】
図４及び図５に示される如く、第１の糸材挟み込み部４０は、合成樹脂製のベース部材４２と、このベース部材４２に取り付けられた板状の挟み込みプレート４４とを備えている。
【００５０】
図５に示される如く、ベース部材４２は、成形品であり、前記挟み込みプレート４４を装着するための台座部４６が形成されると共に、台座部４６の図５の左奥側を下方に向けて略直角に屈曲した補強部４８が形成されている。
【００５１】
台座部４６の図５の右手前側には、台座部４６との間に挟み込みプレート４４の肉厚分の隙間を設けた状態で、突き当て部５０が形成されている。また、台座４６の図５の右奥側端部には、案内突起部５２が形成されている。
【００５２】
このため、挟み込みプレート４４は、台座部４６に載せられ、かつ、案内突起部５２に案内され、さらには、突き当て部５０の隙間に収容され突き当てられることで、台座部４６上の所定位置に位置決めされる。
【００５３】
挟み込みプレート４４は、金属製で薄板形状であり、前記台座部４６と対峙する主面部５４と、主面部５４から前記ベース部材４２の補強部４８に沿うように略Ｌ字型に屈曲されたブラケット部５６が形成されている。なお、挟み込みプレート４４の詳細構造については後述する。
【００５４】
ここで、挟み込みプレート４４の主面部５４が、前記案内突起部５２及び突き当て部５０に案内されて位置決めされると、ブラケット部５６が補強部４８に対峙するようになっており、ブラケット部５６と補強部４８とを図示しないビスにより固定することで、ベース部材４２と挟み込みプレート４４とが一体となり、第１の糸材挟み込み部４０が構成される。
【００５５】
図４に示される如く、第１の糸材挟み込み部４０は、ベース部材４２が、発射管３８の球出射端上部との間で相対位置関係を確保して取り付けられる。すなわち、ベース部材４２は、挟み込みプレート４４を支持する機構に加え、発射管３８へ位置決めするための機構を兼用している。
【００５６】
従って、ベース部材４２の発射管３８の球出射端上部への取り付けによって、前記ベース部材４２に予め装着された挟み込みプレート４４は、少なくともその先端位置が間接的に発射管３８の球出射端上部の所定位置に位置決めされることになる。
【００５７】
なお、ベース部材４２は発射管３８に対して着脱可能であり、言い換えれば、例えば、既存のパチンコ機１０にも、所謂後付けで装着可能である。
【００５８】
「挟み込みプレート４４の構造」
図５に示される如く、前記挟み込みプレート４４の先端面の一部には切り込み部５８が設けられている。この切り込み部５８を境界とした、一方（図５では、右側の幅狭側）の挟み込みプレート５８の先端面は、下方向に略５°〜１０°程度折り曲げられている。以下、挟み込みプレート５８における、当該折り曲げられた一方を爪部６０という。
【００５９】
なお、前記ベース部材４２は、挟み込みプレート４４が装着されたとき、前記爪部６０が装着面に干渉しないように、切欠部６４が形成されている。
【００６０】
また、挟み込みプレート４４の先端面は、前記切り込み部５８の切り込み開始位置が最深部となる略Ｖ字型のカット部（以下、「Ｖカット部６２」という）が形成されている。
【００６１】
Ｖカット部６２のカット面、並びに、切り込み部５８の切り込み面となる端面は、カット加工及び切り込み加工のままであると、挟み込み対象である糸材６６（後述）の擦れあいによって切断され易い。一方、切り込み部５８の目的の１つは、糸材６６の保持であるため、当該加工後に糸材６６が接触する各端面に、面取り加工或いはＲ面加工等を施すことが好ましい。すなわち、切り込み部５８に入り込んだ糸材６６がバリ等により切断されないための工夫が施されることが好ましく、前記面取り加工、Ｒ面加工に限らず、コーティング、塗布等を行ってもよい。
【００６２】
ベース部材４２における、前記挟み込みプレート４４の先端面の爪部６０以外に対向する面は、成形によって下向きに略Ｌ字型に屈曲されると共に、その屈強先端面が爪部６０へ行くに従い徐々に短くなる傾斜部６８となっている。
【００６３】
ここで、不正行為として、発射管３８から，糸材６６の一端部が接着剤等で取り付けられた遊技球ＰＢが発射させる場合がある。なお、糸材６６が取り付けられた遊技球ＰＢは、受け皿２４（図１（Ａ）参照）から遊技球ＰＢを送り込んでいるため、糸材６６の他端部は当該受け皿２４にある。不正行為としては、例えば、この受け皿２４にある糸材６６を軸線方向に移動して遊技球ＰＢの動向を操り、入賞口での入賞を繰り返す、或いは、入賞口近傍で球詰まり（所謂ブドウ）を起こして入賞口へ案内しやすくするといった行為がある。
【００６４】
ここで、糸材６６の有無に関係なく、遊技球ＰＢは、発射当初は勢いがあり、発射管３８内を略直線的に移動し、球案内流路３４に案内されて外レール３０（図１（Ｂ）参照）に沿って円弧状に軌道修正され、遊技盤２０へ送り出されるようになっている。
【００６５】
この遊技盤２０への放出で、遊技球ＰＢに糸材６６が取り付けられていると、当該糸材６６は、遊技球ＰＢの勢いに応じて内レール３２側に移動することになる。さらには、発射管３８の基部（遊技球ＰＢの待機位置であり、糸材の必須の通過点）が内レール３２よりも右側に位置しているため、糸材６６には、内レール３２とガラス枠１６との間の隙間に入り込む力が加わる。
【００６６】
ここで、図６に示される如く、内レール３２には、適宜箇所に突起部７０が形成されている。突起部７０は、遊技盤面側からガラス枠１６側にむけて徐々に低位とされ、前記糸材６６があたると、糸材６６をガラス枠１６方向に移動させる力が加わるようになっている。このため、糸材６６は、内レール３２とガラス枠１６との間の隙間に行きやすくなっている。
【００６７】
なお、突起部７０は、必要最小限としては一か所であればよく、例えば、遊技球ＰＢが外レール３０から離れたとき、最初に糸材６６が内レール３２に接触する位置が好ましい。言い換えれば、発射管３８の先端に設けた第１の糸材挟み込み部４０から内レール３２に向けた接線が接触する位置が好ましい。
【００６８】
ここで、結果として、糸材６６は、緊張した状態で発射管３８の発射端上部、すなわち、挟み込みプレート４４と干渉することになり、緊張した状態の糸材６６は、前記切り込み部５８に入り込むことで保持される（糸材係止状態）。この糸材係止状態では、糸材６６は軸線方向への移動が困難となり、先端に取り付けられた遊技球ＰＢの動向を操ることが不可能となる。
【００６９】
ここで、切り込み部５８が発射管３８の幅方向の一部にあるため、糸材６６が切り込み部５８に確実に誘導するための手段として、挟み込みプレート４４には、Ｖカット部６２が設けられている。
【００７０】
緊張した糸材６６が、前記Ｖカット部６２の開口幅の範囲内に位置すると、当該糸材６６はＶカット部６２の最深部に案内され、切り込み部５８に入り込む。
【００７１】
なお、前記ベース部材４２に設けられた傾斜部６８は、が設けられ、傾斜部６８は、前記緊張した糸材６６が干渉し、当該糸材６６の緊張力に応じて傾斜面に沿って切り込み部５８方向へ移動する場合がある。
【００７２】
「整流装置の構成」
図７に示される如く、本体１４には、前記発射装置２６及び発射管３８が設けられており、この発射装置２６及び発射管３８に対峙するように、整流装置７２が配置されている。なお、整流装置７２は、ガラス枠１６（図１（Ａ）参照）に取り付けられる部材である。
【００７３】
このため、図７の想像線で示される如く、ガラス枠１６の非閉止状態では、整流装置７２は、発射装置２６及び発射管３８とは離間されている。一方、図７の実線で示される如く、ガラス枠１６が閉止した状態では、整流装置７２は、発射装置２６及び発射管３８と対峙されている。
【００７４】
整流装置７２の内部構造については、周知であるため省略するが、その機能は、図８に示される如く、内部構造部材を収容する筐体７４に、受け皿２４から遊技球ＰＢを受け入れる受入口７６が設けられている。受入口７６は、前記受け皿２４の排出口（図示省略）と対向している。受け皿２４の排出口は、受け皿２４で不規則に貯留されている遊技球ＰＢを一列縦隊に案内するレールの最終端に位置している。このため、受け皿２４の排出口から整流装置７２の受入口７６へは、レールの傾斜により、遊技球ＰＢが１個ずつ送り出されるようになっている。
【００７５】
また、整流装置７２の筐体７４には、受入口７６から受け入れた遊技球ＰＢを、予め定めたインタバルで、発射管３８へ送り出す送出口７８が設けられている。送出口７８から送り出された遊技球ＰＢは、発射管３８の待機位置（図２の右端部）で待機され、発射装置２６の動作によって発射される。
【００７６】
ここで、整流装置７２の前記インタバルは、発射装置２６の動作に同期しており、例えば、発射装置２６が１分間に１００回の動作を行う場合、整流装置７２においても、送出口７８から１分間に１００個の遊技球ＰＢを送り出す動作が実行されることになる。なお、実機では、１００回未満／１分の動作であることが好ましい。
【００７７】
前記整流装置７２の送り出し動作の基本的構成は、前記受入口７６から送出口７８までの間にストッパ部を設け、当該ストッパ部をソレノイドへの通電制御によって、１分間に１００回の間隔で退避させている。なお、予め定めたインタバルで、遊技球ＰＢを発射管３８へ送り出す機能があれば、整流装置７２の構造は限定されるものではない。
【００７８】
ここで、整流装置７２の送出口７８には、第２の糸材挟み込み部８０が設けられている。
【００７９】
第２の糸材挟み込み部８０は、金属製の薄板形状であり、整流装置７２の送出口７８の周縁の形状に合わせ、かつ筐体７４の内側に取り付けられている。
【００８０】
ここで、送出口７８の周縁には、略Ｕ字型の切欠部７８Ａが形成されている。このＵ字型の切欠部７８Ａに沿うように、第２の糸材挟み込み部８０には、前述した第１の糸材挟み込み部４０（図５参照）と同様の形状の切り込み部（図示省略）が設けられている。
【００８１】
ここで、送出口７８から送出する遊技球ＰＢに、糸材６６が取り付けられている場合、発射装置２６によって発射されると、糸材６６が緊張した後、糸材６６が、送出口７８の周縁のＵ字型の切欠部７８Ａに入り込み、結果として、第２の糸材挟み込み部８０の切り込み部に入り込んで、糸材係止状態となる。この糸材係止状態では、糸材６６は軸線方向への移動が困難となり、先端に取り付けられた遊技球ＰＢの動向を操ることが不可能となる。
【００８２】
上記構成において、糸材６６に対して糸材係止状態とする位置が、２箇所存在する（第１の糸材挟み込み部４０、第２の糸材挟み込み部８０）。
【００８３】
第１の糸材挟み込み部４０は、発射管３８の球出射端上部にある。この位置は、通常の遊技球ＰＢが発射によって通過する移動軌跡とは異なり、かつ、糸材６６が確実に接触する位置であり、仮に糸材６６が取り付けられた遊技球ＰＢが使われた場合、ほぼ確実に糸材係止状態とすることができる。なお、ここでの「ほぼ確実」とは、挟み込み率が１００％ではないが、実用レベルで不具合とならない程度の確率を言う。
【００８４】
例えば、発射装置２６の発射強度が足りず、遊技盤２０まで至らず、回収される程度の勢いのときは、挟み込まれない場合がある。或いは、待機位置に２個以上の遊技球ＰＢが滞留した場合も、同様な状況が考えられる。
【００８５】
一方、第２の糸材挟み込み部８０は、整流装置７２の送出口７８にある。この位置は、受け皿２４から整流装置７２の受入口７６へ至る経路によって、確実に特定できない。すなわち、第２の挟み込み部８０の挟み込み率は、第１の糸材挟み込み部４０の挟み込み率よりも低い確率となる。従って、本実施の形態では、第１の糸材挟み込み部４０が必須であり、第２の糸材挟み込み部８０は補助的という位置付けとしている。
【００８６】
しかし、２箇所で糸材係止状態とすることで、一方で糸材６６が切断されて挟み込みが外れても、他方で糸材６６がほぼ確実に保持されるため、２箇所での糸材係止状態（第１の糸材挟み込み部４０、第２の糸材挟み込み部８０）の構成によれば、糸材６６の痕跡を確実に残すことができるという、相乗効果をもたらすことができる。
【００８７】
以下に本実施の形態の作用を説明する。
【００８８】
パチンコ機１０による遊技では、遊技者が発射ハンドル２２を操作すると、遊技球ＰＢが、受け皿２４から整流装置７２を介して一球ずつ発射管３８の待機位置へ送られ、発射装置２６によって発射される。発射された遊技球ＰＢは、外レール３０に沿って遊技盤２０に打ち込まれ、遊技釘２０Ａや風車に当たり方向を変えながら遊技領域内を落下する。入賞せずに遊技領域の下端部に至った遊技球ＰＢはパチンコ機１０内に回収される。
【００８９】
また、遊技球ＰＢが遊技領域内に設けた入賞口等に入賞すると、遊技仕様に基づき遊技状態が変化する。
【００９０】
例えば、始動入賞口に、遊技球ＰＢが入賞すると、抽選権利を得て、内部的に抽選が実行され、その結果を、演出を交えながら報知すると共に、当選した場合には、特別遊技状態（大当たり処理）が実行される。遊技者は短時間で多くの遊技球の賞球を受けることができる。また、入賞口に、遊技球ＰＢが入賞すると、予め定めた賞球を受けることができる。
【００９１】
このように、パチンコ機には、上記遊技仕様を含め、賞球や抽選の権利を得る特定の領域（始動入賞口、入賞口等）が存在する。この特定の領域口にはそれぞれ球検出センサが設けられ、遊技球ＰＢが通過することで入賞の有無を検出している。
【００９２】
この場合、不正行為の１つとして、遊技球ＰＢを球検出センサの上流下流で行き来させる場合がある。
【００９３】
すなわち、受け皿２４に遊技球ＰＢを貯留するとき、遊技球ＰＢに糸材６６の一端部を接着剤等で固定して、不正な遊技球ＰＢを構成し、発射装置２６によって発射させ、遊技領域内で糸材６６を操って、遊技球ＰＢを入賞口へ入賞させるといった不正に有利な状態とする場合がある。
【００９４】
本実施の形態では、発射管３８の球出射端上部に第１の挟み込み部４０を設け、かつ整流装置７２に第２の挟み込み部８０を設け、その両方又は一方で糸材６６を挟み込むことで、遊技球ＰＢの動向を操ることを不可能として上記不正行為を防止し、かつ糸材６６を保持して不正行為の痕跡を残すことができるようにした。
【００９５】
図９〜図１２は、糸材６６が取り付けられた不正な遊技球ＰＢが発射されたときの、糸材６６の動向を示す。
【００９６】
図９は、糸材６６が取り付けられた遊技球ＰＢが発射装置２６によって発射され、発射管３８から放出された状態である。このとき、遊技球ＰＢは、外レール３０に向けて直線的に移動する。
【００９７】
図１０に示される如く、直線的に移動していた遊技球ＰＢは、外レール３０と接触し、外レール３０の円弧状に沿って方向転換されながら上昇する。
【００９８】
図１１に示される如く、内レール３２の先端に取り付けられた球逆流防止弁３６を通過すると、遊技球ＰＢが遊技盤２０面を自重で落下することになり、これに伴い、糸材６６は、内レール３２に接触する。内レール３２に接触すると、糸材６６は、図６に示す突起部７０に案内され、内レール３２とガラス枠１６との間の隙間に入り込み、かつ、例えば、遊技盤２０の上部に設けられた釘２０Ａ等に引っ掛かる。
【００９９】
図１２に示される如く、釘２０Ａ等に引っ掛かった遊技球ＰＢは、糸材６６の長さに応じた位置で落下が阻止される。
【０１００】
この図１２の状態で、従来は、受け皿２４にある糸材６６を移動することで、遊技球ＰＢを上下動等、操ることが可能となり、例えば、入賞口での入賞を繰り返したり、入賞口近傍で球詰まり（所謂ブドウ）を起こして入賞口へ案内しやすくするといった不正行為が行われる場合があった。
【０１０１】
しかし、本実施の形態では、発射管３８の球出射端上部に、第１の糸材挟み込み部４０を設け、挟み込みプレート４４の切り込み部５８に糸材６６を挟み込み、糸材６６の動きを不可能とすることで、上記不正行為を防止することができる。
【０１０２】
また、従来では、不正行為の防止策として、糸材６６によって遊技球ＰＢの流路を遮る手段があったが、この場合、受け皿２４にある糸材６６を離すと、糸材６６が、遊技球ＰＢの遊技盤２０からの排出に伴い、遊技盤から排出され、痕跡が残らない場合があった。
【０１０３】
しかし、本実施の形態では、切り込み部５８によって、糸材６６を係止しているため（糸材係止状態）、受け皿２４にある糸材６６を離しても、遊技球ＰＢが移動することがない。また、無理やり引っ張って切断しても、切断した下流側の糸材６６（及び遊技球ＰＢ）をそのまま残すことができる。従って、確実に痕跡を残すことができる。
【０１０４】
このとき、整流装置７２に設けた第２の糸材挟み込み部８０によって糸材６６を挟み込んでいると、不正行為者が無理やり糸材６６を引っ張って、痕跡を隠蔽しようとしても、第２の挟み込み部８０で糸材６６が切断され、上下流に糸材６６が散けた（ばらけた）としても、第１の糸材挟み込み部４０には、無理やり引っ張ったときの緊張力が加わらないため、第１の糸材挟み込み部４０で挟み込み状態が保持され、痕跡を残すことができる。
【０１０５】
本実施の形態では、発射管３８の球出射端上部に設けた第１の糸材挟み込み部４０を必須とし、整流装置７２に設けた第２の挟み込み部８０を補助的な位置付けとした。すなわち、第１の糸材挟み込み部４０があれば、第２の糸材挟み込み部８０は不要ということも言えるが、補助的に第２の挟み込み部８０を設けることで、第１の糸材挟み込み部４０と第２の糸材挟み込み部８０とにより、相乗効果をもたらす場合がある。
【０１０６】
通常考えられる糸材６６の動向を検証する。
【０１０７】
発射装置２６によって遊技球ＰＢ（糸材６６付）が発射すると、最初に、外レール３０に接触しながら遊技盤２０へ至るまでの間に、整流装置７２に設けられた第２の挟み込み部８０の切り込み部によって糸材６６が係止状態となる。その後、糸材６６が内レール３２とガラス枠１６との間の隙間に入り込むと、第１の糸材挟み込み部４０の切り込み部５８によって糸材６６が係止状態となる（一般的な動向）。
【０１０８】
一方、糸材６６は不規則な動向をする場合があり、このような場合、前記一般的な動向とは異なり、何れか一方で糸材係止状態となる場合がある。
【０１０９】
（糸材係止状態１）  第１の糸材挟み込み部４０、第２の挟み込み部８０の双方で糸材係止状態
この場合、糸材６６の操作による遊技球ＰＢの動向を操ることができない。
【０１１０】
不正行為の隠蔽のため、受け皿２４にある糸材６６から手を放しても、糸材６６は第１の糸材挟み込み部４０で糸材係止状態となっているため、遊技球ＰＢの自重で送り込まれることがない。
【０１１１】
あわてて、糸材６６を無理やり引っ張ると、第２の挟み込み部８０で糸材が切断され、切断位置よりも下流側の糸材６６が痕跡となる。
【０１１２】
第２の挟み込み部８０で挟み込まれた糸材６６は、第１の糸材挟み込み部４０で挟み込まれているため、緊張力がなく、遊技球ＰＢに自重、あるいは、さらなる力が加わっても、挟み込み状態が維持できる。
【０１１３】
（糸材係止状態２）  第１の糸材挟み込み部４０が糸材係止状態、第２の挟み込み部８０が非糸材係止状態
この場合、糸材６６の操作による遊技球ＰＢの動向を操ることができない。
【０１１４】
不正行為の隠蔽のため、受け皿２４にある糸材６６から手を放しても、糸材６６は第１の糸材挟み込み部４０で糸材係止状態となっているため、糸材６６が遊技球ＰＢの自重で送り込まれることがない。
【０１１５】
あわてて、糸材６６を引き出そうとすると、第１の糸材挟み込み部４０で糸材が切断されるが、糸材６６の挟み込み状態が保持され、切断位置より下流側に痕跡が残る。
【０１１６】
なお、切断したとき、糸材６６が上下流に切り離される場合がある。これを回避するため、第１の糸材挟み込み部４０のベース部材４２の台座部４６に、一定の間隔をあけて２個の挟み込みプレート４４を設けてもよい（複数刃構成）。
【０１１７】
（糸材係止状態３）  第２の挟み込み部８０が糸材係止状態、第１の糸材挟み込み部４０が非糸材係止状態。
【０１１８】
この状態が起こらないように、糸材６６の動向を検証し、第１の糸材挟み込み部４０の取付位置を、発射管３８の球出射端上部とした。
【符号の説明】
【０１１９】
ＰＢ    遊技球
１０    パチンコ機
１２    島
１４    本体
１６    ガラス枠
１８    ヒンジ
２０    遊技盤
２２    発射ハンドル
２４    受け皿
２６    発射装置
２８    球発射流路
３０    外レール
３２    内レール
３４    球案内流路
３６    球逆流防止弁
３８    発射管
４０    第１の糸材挟み込み部
４２    ベース部材
４４    挟み込みプレート
４６    台座部
４８    補強部
５０    突き当て部
５２    案内突起部
５４    主面部
５６    ブラケット部
５８    切り込み部
６０    爪部
６２    Ｖカット部
６４    切欠部
６６    糸材
６８    傾斜部
７０    突起部
７２    整流装置
７４    筐体
７６    受入口
７８    送出口
７８Ａ    切欠部
８０    第２の糸材挟み込み部
【図１】
2014188072.tif 000003
【図２】
2014188072.tif 000004
【図３】
2014188072.tif 000005
【図４】
2014188072.tif 000006
【図５】
2014188072.tif 000007
【図６】
2014188072.tif 000008
【図７】
2014188072.tif 000009
【図８】
2014188072.tif 000010
【図９】
2014188072.tif 000011
【図１０】
2014188072.tif 000012
【図１１】
2014188072.tif 000013
【図１２】
2014188072.tif 000014